(57)【要約】【課題】ボンボン作成用糸巻装置において、容易に所望の図案のボンボンを作成可能にする。【解決手段】ボンボン作成用の糸巻片７０Ａ（７０Ｂ）に糸Ｓを巻き付けるボンボン作成用糸巻装置１であって、手回しクランク１１の回転力を利用して、糸巻片に糸を巻き付ける巻動作、及び糸巻片に対する糸の巻位置を巻の中心軸方向（Ｘ軸方向）に移動する糸案内動作が糸案内１５等により可能にされている。糸巻片に対する糸の巻位置に対応して糸の色種を切り替える指示を表示する表示手段が糸案内と連動の指針１６、糸案内の反転操作と連動のテーブル部１８、テーブル部１８に設置される２次元座標表示盤カード９０（図９）等により構成されている。かかる２次元的な表示手段により、切り替えるべき糸の色種、巻位置に対応した糸の色指定を表示し、糸案内動作の１往復を２層相当として、層ごとにそれらを表示する。【選択図】図２
2019015004.tif 000002
【特許請求の範囲】
【請求項１】
ボンボン作成用の糸巻片に糸を巻き付けるボンボン作成用糸巻装置であって、
前記糸巻片に糸を巻き付ける巻動作、及び前記糸巻片に対する糸の巻位置を巻の中心軸方向に移動する糸案内動作が可能にされ、
前記糸巻片に対する糸の巻位置に対応して糸の色種を切り替える指示を表示する表示手段を備えることを特徴とするボンボン作成用糸巻装置。
【請求項２】
前記表示手段は、前記中心軸方向に連続して巻位置に対応した糸の色指定を表示することを特徴とする請求項１に記載のボンボン作成用糸巻装置。
【請求項３】
前記表示手段は、前記中心軸方向の巻位置を表示する座標による表示形態を有し、前記座標上に色指定がプロットされていることを特徴とする請求項２に記載のボンボン作成用糸巻装置。
【請求項４】
前記表示手段は、前記座標が表記された付け替え可能な座標表示盤を備えることを特徴とする請求項３に記載のボンボン作成用糸巻装置。
【請求項５】
前記表示手段は、前記座標上において現巻位置を示す指針を有し、前記指針を、前記中心軸方向の巻位置の移動に連動して前記座標に沿って変位させることを特徴とする請求項３又は請求項４に記載のボンボン作成用糸巻装置。
【請求項６】
前記糸巻片を回転させる糸巻片回転機構と、前記糸巻片回転機構の回転軸に対して平行に往復動作するスライダーと、前記スライダーに支持され、前記糸巻片に対する糸の繰り出し位置を保持する糸案内とを備え、前記指針が前記スライダーに支持され、前記座標が前記回転軸に平行に設けられることを特徴とする請求項５に記載のボンボン作成用糸巻装置。
【請求項７】
前記巻動作中の前記糸案内動作が往復動作で可能にされ、
前記表示手段は、前記糸案内動作の１往復を２層相当として、層ごとに前記糸巻片に対する糸の巻位置に対応して糸の色種を切り替える指示を表示することを特徴とする請求項１から請求項６のうちいずれか一に記載のボンボン作成用糸巻装置。
【請求項８】
前記表示手段は、前記中心軸方向の巻位置と、何層目かを表示し、層ごとに巻位置に対応した糸の色指定を表示することを特徴とする請求項７に記載のボンボン作成用糸巻装置。
【請求項９】
前記表示手段は、前記中心軸方向の巻位置を表示する第１座標と、当該第１座標に直交し、何層目かを表示する第２座標とからなる２次元座標による表示形態を有し、前記２次元座標上に色指定がプロットされていることを特徴とする請求項８に記載のボンボン作成用糸巻装置。
【請求項１０】
前記表示手段は、前記２次元座標上において現巻位置を示す指針を有し、前記指針を、前記中心軸方向の巻位置の移動に連動して前記第１座標に沿って変位させるとともに、前記糸案内動作の反転に連動して前記第２座標に沿って１層分変位させることを特徴とする請求項９に記載のボンボン作成用糸巻装置。
【請求項１１】
前記表示手段は、前記２次元座標が表記された付け替え可能な２次元座標表示盤と、前記２次元座標表示盤の盤面を前記指針に近接して保持し、前記糸案内動作の反転に連動して前記２次元座標表示盤を前記第２座標の方向に移動させる表示盤送り機構を備えることを特徴とする請求項１０に記載のボンボン作成用糸巻装置。
【発明の詳細な説明】
【技術分野】
【０００１】
本発明は、ボンボン作成用の糸巻片に糸を巻き付けるボンボン作成用糸巻装置に関する。
【背景技術】
【０００２】
特許文献１にも記載されているように従来からボンボンは、所定の間隔（スペース）をあけて面方向に重ね合わせた半割り状の腕片に、コイル状に糸をグルグル巻に巻き付けて所定の巻数の糸層を形成したものを２個用意し、これを環状に結合させ、前記スペースから刃物（通常は鋏）を入れて糸層の外周側を切断し、該切断部より括り糸で糸層の内周側を束ねた後、再度、半割り状の腕片に分解して束ねた糸層を取り外し、その各糸端を球状に整え（鋏でカットすることもある）て作成される。
特許文献１に記載のボンボン作成用糸巻装置にあっては、半割り状の腕片に糸を巻き付ける機構と、その巻き付けに連動して半割り状の腕片を所定角度で往復回動させる機構と有し、半割り状の腕片の一端と他端との間で巻位置を往復させることで、複数層に糸を巻き付けることができるとともに、巻数の表示手段を有する。同文献中では、表示手段に表示される巻数を基準にして糸色を切り替えることで、種々の模様（半球２色、横縞，縦縞、まだら、水玉が例示される）を有したボンボンを作成することが提案されている。
【先行技術文献】
【特許文献】
【０００３】
【特許文献１】特開２００２−２２０７７２号公報
【発明の概要】
【発明が解決しようとする課題】
【０００４】
しかしながら、特許文献１に記載のボンボン作成用糸巻装置にあっては、計画した図案に従って色種の切替位置を表示する手段を有さない。切替位置のずれは、図案の再現性の低下を招く。したがって、複雑な図案になればなるほど、図案を正確に実現しようとすることが困難である。
また、特許文献１に記載のボンボン作成用糸巻装置にあっては、表示手段に表示されるのは糸の巻数であり、層数を表示しないから、ユーザーにとって層数を認識することが困難であり、ユーザーが層数を誤認するおそれがある。層によって色種の切替位置が異なるなどの複雑な模様を実現しようとする場合に、現在の層数を誤認すると計画した図案を実現できないこととなる。
【０００５】
本発明は以上の従来技術における問題に鑑みてなされたものであって、ボンボン作成用糸巻装置において、容易に所望の図案のボンボンを作成可能にすることを課題とする。
【課題を解決するための手段】
【０００６】
以上の課題を解決するための請求項１記載の発明は、ボンボン作成用の糸巻片に糸を巻き付けるボンボン作成用糸巻装置であって、
前記糸巻片に糸を巻き付ける巻動作、及び前記糸巻片に対する糸の巻位置を巻の中心軸方向に移動する糸案内動作が可能にされ、
前記糸巻片に対する糸の巻位置に対応して糸の色種を切り替える指示を表示する表示手段を備えることを特徴とするボンボン作成用糸巻装置である。
【０００７】
請求項２記載の発明は、前記表示手段は、前記中心軸方向に連続して巻位置に対応した糸の色指定を表示することを特徴とする請求項１に記載のボンボン作成用糸巻装置である。
【０００８】
請求項３記載の発明は、前記表示手段は、前記中心軸方向の巻位置を表示する座標による表示形態を有し、前記座標上に色指定がプロットされていることを特徴とする請求項２に記載のボンボン作成用糸巻装置である。
【０００９】
請求項４記載の発明は、前記表示手段は、前記座標が表記された付け替え可能な座標表示盤を備えることを特徴とする請求項３に記載のボンボン作成用糸巻装置である。
【００１０】
請求項５記載の発明は、前記表示手段は、前記座標上において現巻位置を示す指針を有し、前記指針を、前記中心軸方向の巻位置の移動に連動して前記座標に沿って変位させることを特徴とする請求項３又は請求項４に記載のボンボン作成用糸巻装置である。
【００１１】
請求項６記載の発明は、前記糸巻片を回転させる糸巻片回転機構と、前記糸巻片回転機構の回転軸に対して平行に往復動作するスライダーと、前記スライダーに支持され、前記糸巻片に対する糸の繰り出し位置を保持する糸案内とを備え、前記指針が前記スライダーに支持され、前記座標が前記回転軸に平行に設けられることを特徴とする請求項５に記載のボンボン作成用糸巻装置である。
【００１２】
請求項７記載の発明は、前記巻動作中の前記糸案内動作が往復動作で可能にされ、
前記表示手段は、前記糸案内動作の１往復を２層相当として、層ごとに前記糸巻片に対する糸の巻位置に対応して糸の色種を切り替える指示を表示することを特徴とする請求項１から請求項６のうちいずれか一に記載のボンボン作成用糸巻装置である。
【００１３】
請求項８記載の発明は、前記表示手段は、前記中心軸方向の巻位置と、何層目かを表示し、層ごとに巻位置に対応した糸の色指定を表示することを特徴とする請求項７に記載のボンボン作成用糸巻装置である。
【００１４】
請求項９記載の発明は、前記表示手段は、前記中心軸方向の巻位置を表示する第１座標と、当該第１座標に直交し、何層目かを表示する第２座標とからなる２次元座標による表示形態を有し、前記２次元座標上に色指定がプロットされていることを特徴とする請求項８に記載のボンボン作成用糸巻装置である。
【００１５】
請求項１０記載の発明は、前記表示手段は、前記２次元座標上において現巻位置を示す指針を有し、前記指針を、前記中心軸方向の巻位置の移動に連動して前記第１座標に沿って変位させるとともに、前記糸案内動作の反転に連動して前記第２座標に沿って１層分変位させることを特徴とする請求項９に記載のボンボン作成用糸巻装置である。
【００１６】
請求項１１記載の発明は、前記表示手段は、前記２次元座標が表記された付け替え可能な２次元座標表示盤と、前記２次元座標表示盤の盤面を前記指針に近接して保持し、前記糸案内動作の反転に連動して前記２次元座標表示盤を前記第２座標の方向に移動させる表示盤送り機構を備えることを特徴とする請求項１０に記載のボンボン作成用糸巻装置である。
【発明の効果】
【００１７】
本発明によれば、糸の巻位置に対応して糸の色種を切り替える指示を表示するから、図案に従って色種の切替位置を表示することがきるため、容易に所望の図案のボンボンを作成が可能である。
【図面の簡単な説明】
【００１８】
【図１】本発明の一実施形態に係るボンボン作成用糸巻装置の斜視図である。
【図２】本発明の一実施形態に係るボンボン作成用糸巻装置の斜視図で上部カバーを外した状態を示す。
【図３】本発明の一実施形態に係るボンボン作成用糸巻装置を斜め後方から見た斜視図で上部カバーを外した状態を示す。
【図４】本発明の一実施形態に係るボンボン作成用糸巻装置を上から見た図で上部カバーを外した状態を示す。
【図５】本発明の一実施形態に係るボンボン作成用糸巻装置の一方の糸巻片の斜視図である。
【図６】本発明の一実施形態に係るボンボン作成用糸巻装置の他方の糸巻片の斜視図である。
【図７】本発明の一実施形態に係るボンボン作成用糸巻装置の２つの糸巻片及び２つの糸押さえを組み立てた構造の斜視図である。
【図８】本発明の一実施形態に係るボンボン作成用糸巻装置の２つの糸巻片及び２つの糸押さえを組み立てた構造の斜視図であって、図７とは異なる方向から見たものである。
【図９】本発明の一実施形態に係るボンボン作成用糸巻装置の２次元座標表示盤カードの平面図である。
【図１０】図９の２次元座標表示盤カードに従って作成されたボンボンの模式図である。
【発明を実施するための形態】
【００１９】
以下に本発明の一実施形態につき図面を参照して説明する。以下は本発明の一実施形態であって本発明を限定するものではない。
【００２０】
〔装置概要〕
図１〜図４に示すように本実施形態のボンボン作成用糸巻装置１は、筐体１０に各種機械部品が組み付けられてなり、図５、図６に単体で示す２種の糸巻片７０Ａ，７０Ｂが着脱可能である。本装置１は、図１０に示すようなボンボン１００を作成するためのボンボン作成用糸巻装置であり、糸巻片に糸を巻き付ける機械機構により成る。図１に外観を示し、図２から図４には筐体１０の上部カバーを外したものを示す。図１，図２，図３には巻き付けられる糸Ｓを示す。さらに本ボンボン作成用糸巻装置１は、図７、図８に示す２個の糸押さえ８０，８０と、図９に示す２次元座標表示盤カード９０を備える。
【００２１】
本ボンボン作成用糸巻装置１は、手回しクランク１１と、回転駆動軸１２と、回転支持軸１３と、スライダー１４と、糸案内１５と、指針１６と、逆転操作ダイヤル１７と、表示盤送り機構のテーブル部１８と、方向表示部１９と、変速操作スライド２０と、糸のテンション保持部材２１と、ワンウエイ解除レバー２２を備える。
さらにボンボン作成用糸巻装置１は、増速歯車伝動機構３０、変速歯車伝動機構３１、逆転歯車伝動機構３２と、螺旋条付軸３３と、ガイドレール３４と、反転アシストバネ３５Ｒ，３５Ｌと、表示盤送り機構の歯車伝動部３６と、リンク伝動機構３７と、インデックスリブ３８とを備える。
糸巻片７０Ａの回転軸、クランク軸、スライダー１４の移動方向がすべて同方向であり、この方向の軸をＸ軸とし図中に示す。通常、Ｘ軸をユーザーに対して左右方向に配置して作業を行う。奥行き方向の軸をＹ軸、高さ方向の軸をＺ軸として図中に示す。
【００２２】
筐体１０は、ベース部１０Ａと、ベース部１０Ａの右部分１０Ａ１から上方に隆起した右隆起部１０Ｒと、ベース部１０Ａの左部分１０Ａ２から上方に隆起した左隆起部１０Ｌとを形成しており、右隆起部１０Ｒと左隆起部１０Ｌとの間に糸巻片７０Ａ（７０Ｂ）を配置する空間１０Ｂを形成している。右隆起部１０Ｒの外側に手回しクランク１１が配置され、右隆起部１０Ｒの空間１０Ｂに臨む内側に回転駆動軸１２が配置され、手回しクランク１１の回転が増速歯車伝動機構３０により増速されて回転駆動軸１２に伝達され、回転駆動軸１２を回転させる。
手回しクランク１１は、矢印Ｃで示す順方向に常時回転可能であり、右隆起部１０Ｒ内において手回しクランク１１のクランク軸に固定された歯車の歯間に逆転阻止爪（不図示）が入り込むことで逆転不可にされている。ワンウエイ解除レバー２２を手前に倒すことで、その逆転阻止爪が上記歯車の歯間から離脱し、逆転が可能となる。手回しクランク１１の逆転は、糸Ｓの巻き直しなどのために使用できる。
【００２３】
回転支持軸１３は、左隆起部１０Ｌに回転可能に軸受支持され、左隆起部１０Ｌの内側に配置されている。回転駆動軸１２と、回転支持軸１３とが同軸（Ｘ軸方向）に配置され、空間１０Ｂを介して対向配置されている。回転駆動軸１２及び回転支持軸１３はそれぞれ、糸巻片７０Ａ（７０Ｂ）の端部（連結部７２，７３）との連結構造を有する。回転駆動軸１２に糸巻片７０Ａ（７０Ｂ）の一端部が連結され、回転支持軸１３に糸巻片７０Ａ（７０Ｂ）の他端部が連結されて、糸巻片７０Ａ（７０Ｂ）がＸ軸方向に架け渡されるように装着される。かかる状態で、手回しクランク１１が回されることで、糸巻片７０Ａ（７０Ｂ）が回転し、筐体１０の中央部１０Ａ３から上に突設された糸案内１５から繰り出される糸Ｓが糸巻片７０Ａ（７０Ｂ）の一対のアーチ部７１，７１の外側に巻き付けられる。
以上の構成により、糸巻片７０Ａ（７０Ｂ）を回転させる糸巻片回転機構４０が構成されており、糸巻片７０Ａ（７０Ｂ）に糸を巻き付ける巻動作が可能である。糸巻片回転機構４０の回転軸はＸ軸方向に配置されていることとなる。
【００２４】
手回しクランク１１の回転は、変速歯車伝動機構３１及び逆転歯車伝動機構３２を介して螺旋条付軸３３に伝達され、螺旋条付軸３３を回転させる。
螺旋条付軸３３は、筐体１０の中央部１０Ａ３を貫くようにＸ軸方向に延設されている。スライダー１４は、Ｘ軸方向に延設されたガイドレール３４によって左右に直動するように保持されている。螺旋条付軸３３の外周の螺旋条３３ａによって形成された溝に、スライダー１４に形成された突起（不図示）が入り込むことで、螺旋条付軸３３の回転に伴い、スライダー１４を左右に移動させる。螺旋条付軸３３の一方の回転によりスライダー１４が右に、螺旋条付軸３３の他方の回転によりスライダー１４が左に移動する。螺旋条付軸３３の回転方向の切替は、逆転操作ダイヤル１７を一段階（９０度）回すことで、逆転歯車伝動機構３２により行われる。逆転歯車伝動機構３２は、手回しクランク１１から螺旋条付軸３３までの伝動歯車列の歯車数を奇数から偶数、偶数から奇数に切り替えることで、螺旋条付軸３３の回転方向を変える。
逆転操作ダイヤル１７が一段階（９０度）回転するごとに、リンク伝動機構３７を介して方向表示部１９がスライダー１４の移動方向に対応して左方向への移動指示と右方向への移動指示とに交互に切り替わるとともに、表示盤送り機構の歯車伝動部３６を介して、テーブル部１８が奥側方向（Ｙ軸の負の方向）へ一段階送られる。表示盤送り機構の歯車伝動部３６の末端は、テーブル部１８の左右端に設けられたラック１８ａ，１８ａである。
【００２５】
糸案内１５及び指針１６は、スライダー１４に支持されており、スライダー１４と一体に左右に往復動作する。糸案内１５は、糸巻片７０Ａ（７０Ｂ）に対する糸Ｓの繰り出し位置を保持しており、巻位置を決定する。したがって、中心軸方向の巻位置の移動に連動して指針１６をＸ座標に沿って変位させる。
糸案内１５には、Ｘ軸方向に延在し上方に開口するスリット１５ａが形成されており、ここに糸Ｓが通される。スリット１５ａ内には糸Ｓの離脱を防止するフック１５ｂがあるので、フック１５ｂの下に糸Ｓを通す。
テンション保持部材２１は、筐体１０の左側面に固定されており、糸Ｓはテンション保持部材２１から、スリット１５ａを通って、スリット１５ａが終わる糸案内１５の右端から糸巻片７０Ａ（７０Ｂ）へ繰り出される。糸案内１５の右端のスリット１５ａより手前側には、糸止め用切込み１５ｃが設けられているので、糸の切替作業時などに使用できる。
【００２６】
糸巻片７０Ａ（７０Ｂ）は、糸Ｓが巻き付けられる部位である互いに隙間を空けて配置された一対のアーチ部７１，７１を有する。
回転駆動軸１２と回転支持軸１３に架設支持された糸巻片７０Ａ（７０Ｂ）のアーチ部７１，７１の右端部から左端部までを、糸案内１５から繰り出される糸Ｓが往復するように、螺旋条３３ａは限定した範囲に設けられている。
スライダー１４が右へ移動していき、スライダー１４の突起が螺旋条３３ａの溝から離脱すると、手回しクランク１１をそれ以上回しても（螺旋条付軸３３が回転し続けても）、スライダー１４は移動しないが、反転アシストバネ３５Ｒによって螺旋条３３ａ側に付勢されており、逆転操作ダイヤル１７の操作に従って螺旋条付軸３３が逆転することで、スライダー１４の突起が螺旋条３３ａに捕捉されて、スライダー１４が左へ移動する。スライダー１４が左へ移動した場合も、反転アシストバネ３５Ｌが同様に作用し、スライダー１４が左移動から右移動に反転可能である。
以上の構成により、糸巻片７０Ａ（７０Ｂ）に対する糸Ｓの巻位置を巻の中心軸方向に移動する糸案内動作が可能にされており、さらに巻動作中の糸案内動作が往復動作で可能にされている。また、アーチ部７１，７１から糸Ｓが左右にはみ出さず、かつ、アーチ部７１，７１の右端から左端まで等ピッチで糸Ｓを巻き付けることができる。
【００２７】
筐体１０の中央部１０Ａ３には、螺旋条付軸３３と平行に断続するようにインデックスリブ３８が配列している。一つのインデックスリブ３８は、ＹＺ平面に平行な板状に形成されており、複数のインデックスリブ３８がＸ軸方向に図９のマス目のＸ軸方向の配列と同ピッチで等間隔に配置されている。
スライダー１４には、弾性突起１４ａがその先端をインデックスリブ３８に接触するように突設されており、スライダー１４の移動に伴い、インデックスリブ３８が弾性突起１４ａを弾いて、「カチッ」という音が発生する。また、筐体１０を押さえているユーザーの手に触覚で感知される。
【００２８】
表示盤送り機構のテーブル部１８には、図９に示す２次元座標表示盤カード９０が設置される。テーブル部１８の奥側端部と手前側端部には、係止爪１８ｂが形成されており、ここに２次元座標表示盤カード９０が付け替え可能に係止される。これにより、表示盤送り機構のテーブル部１８は、２次元座標表示盤カード９０の盤面を指針１６に近接して保持する。
図９には、テーブル部１８に２次元座標表示盤カード９０が設置されたときの、図１等と共通のＸ軸、Ｙ軸を示す。また、指針１６を模式的に示す。
２次元座標表示盤カード９０において、糸Ｓを巻く際の中心軸方向の巻位置を表示する第１座標はＸ軸座標に相当し、何層目かを表示する第２座標はＹ軸座標に相当し、第１座標と第２座標とによる２次元座標は、マス目により表記されている。
指針１６は現巻位置を示す。指針１６がＸ軸方向に１マス移動するごとに糸Ｓを３回巻く、すなわち、糸巻片７０Ａ（７０Ｂ）が３回転する。又は、変速操作スライド２０を操作に従って変速歯車伝動機構３１により、指針１６（スライダー１４）の送りが低速化し、指針１６がＸ軸方向に１マス移動するごとに糸Ｓを６回巻く、すなわち、糸巻片７０Ａ（７０Ｂ）が６回転する。なお、ここでの１マスあたりの回転数は一例に過ぎない。
２次元座標表示盤カード９０上のマス目のＹ軸方向の線と、前述のインデックスリブ３８とが対応している。
【００２９】
図９に示す２次元座標表示盤カード９０には、一例としてアルファベットの「Ａ」の図案のボンボンを作成するための色指定が既にプロットされている。２次元座標表示盤カード９０の中央には完成図柄９４が表記されている。図柄「Ａ」の部分に相当するマス目が濃く塗られており、余白の部分に相当するマス目が白抜きにされている。マス目への指定は、「Ａ」の部分を、黒にするか赤にするか、余白の部分を白にするか黄色にするかなどまでは必ずしも指定する必要はなく、一のマス目と他の特定のマス目とを同じトーンにする指示や、異なるトーンにする指示をモノクロ表現等により表記したものでもよい。もちろん、カラー表現により、より厳密に色調を指定し、場合により３種以上の色種をプロットとしたものを実施してもよい。使用する色種が多いほど、色調を指定するカラー表現することが好ましい。
【００３０】
本装置１にあっては、以上の色指定の異なるマス目の境界を指針１６が指すことをもって、糸巻片７０Ａ（７０Ｂ）に対する糸の巻位置に対応して糸の色種を切り替える指示を表示する。すなわち、指針１６がマス目の境界を指すとき、巻動作を停止して糸Ｓを切り替えるべきことを示す。
指針１６がマス目の境界を指すとき、インデックスリブ３８が弾性突起１４ａを弾くので、ユーザーは聴覚又は／及び触覚により糸の切替位置を認識することでき、２次元座標表示盤カード９０を視覚的に確認するのみの場合よりも、正確な位置で糸の切替作業を行うことができる。このように、糸Ｓの色種を切り替えるべき糸巻片７０Ａ（７０Ｂ）に対する糸Ｓの巻位置の設定単位は、一つのマス目のＸ軸方向の長さとなっている。本装置１は、かかる設定単位と同ピッチのインデックスを聴覚又は／及び触覚で感知させるインデックス表示手段を、上述したインデックスリブ３８及び弾性突起１４ａを含む機械機構により構成している。２次元座標表示盤カード９０上のマス目のＹ軸方向の線と、インデックスリブ３８とを合せずに、単に一マス相当進むごとにインデックスが表示されるようにしてもよい。いずれにしてもユーザーに巻作業の進行を巻位置の設定単位で聴覚又は／及び触覚により認識させることができ、色種切替位置の到来について注意を喚起することができる。
【００３１】
以上のようにして２次元座標表示盤カード９０、指針１６及びこれを移動させる機構により、糸の色種を切り替える指示を表示する表示手段が本装置１に構成されている。
また、切り替えるべき位置だけでなく、２次元座標表示盤カード９０上のマス目の中の色によって、切り替えるべき糸の色種を表示する。例えば、白抜きのマス目の次のマス目の中の色を赤にしておけば、白から赤に切り替える指示を表示できる。
これに対し、あるマス目群に「Ｅ」を表記し、他のマス目群に「Ｆ」を表記し、「Ｅ」に対応させる色は任意で、「Ｆ」に対応させる色は「Ｅ」に対応させる色以外で任意とした場合、「Ｅ」のマス目と「Ｆ」のマス目との境界を指針１６が指すことをもって色種を切り替える指示を表示できるが、何色から何色に切り替えるべきか、マス目内で使用する色は何かまでは表示しない。
本実施形態のボンボン作成用糸巻装置１は、巻位置に対応して糸の色種を切り替える指示を表示し、さらに切り替えるべき糸の色種を表示し、さらに巻の中心軸（Ｘ軸）方向に連続して巻位置に対応した糸の色指定を表示する。
本実施形態の２次元座標表示盤カード９０上のマス目に色を付けることで、何色から何色に切り替えるべきか、マス目内で使用する色は何かをＸ軸方向に連続して表示することができる。したがって、糸の切替時にユーザーにとって、何色から何色に切り替えるべきかがわかりやすいことはもちろん、どのタイミング（どの巻位置）でも巻いている糸Ｓの色種が正しいかを確認することができ、間違えに早期に気が付きやすい。例えば、切替位置を素通りする間違えを事後的にユーザーに気が付かせることができる。間違えが有れば、上述のように手回しクランク１１を逆転させて糸Ｓを巻き戻してからやり直すことができる。早期に気が付けば巻き戻す量も少なくて済む。
【００３２】
なお、２次元座標表示盤カード９０上のマス目がすべて白抜きにされたものを実施することで、ユーザーがペンを使って色指定をマス目にプロットすることができ、ユーザーの自由創作を促すことができる。
【００３３】
本装置１によれば、糸案内１５が折り返して次の層の巻動作に移行する際に、上述したようにテーブル部１８が奥側方向（Ｙ軸の負の方向）へ一段階送られる。この一段階の送り量は、２次元座標表示盤カード９０上のＹ軸方向のマス目のピッチに対応しているので、指針１６が次の層に対応するマス目に移動する。すなわち、糸案内動作の反転に連動して指針１６を第２座標（Ｙ座標）に沿って１層分変位させる。
図９に示すように２次元座標表示盤カード９０上において、１層目の色指定を表示するマス目の列の左右には「１」を、２層目の色指定を表示するマス目の列の左右には「２」が表記され、全７層について同様に表記されている（層数や一列のマス目の数は一例である。）。図９に示す２次元座標表示盤カード９０において、上部７列９１ａは一方の糸巻片７０Ａに巻く際の色指定用であり、下部７列９１ｂは他方の糸巻片７０Ｂに巻く際の色指定用である。但し、糸巻片７０Ａと糸巻片７０Ｂとを入れ替えても同じ図柄のボンボンが作成される。１層目の開始マス９２ａ，９２ｂに指針１６を合せることは、手回しクランク１１及び逆転操作ダイヤル１７を操作して行う。その後は、手回しクランク１１による巻操作と、逆転操作ダイヤル１７により糸案内１５の反転操作に連動して、指針１６がマス目を順に移動する。
以上のより本装置１の表示手段は、糸案内動作の１往復を２層相当として、層ごとに糸巻片７０Ａ（７０Ｂ）に対する糸Ｓの巻位置に対応して糸の色種を切り替える指示を表示し、さらに表示手段は、Ｘ軸方向の巻位置と、何層目かを表示し、層ごとに巻位置に対応した糸の色指定を表示する。例えば、図９に示す指針１６Ａは、４層目であることを示すとともに、Ｘ軸方向の巻位置としては右から３マス目の中央であることを示す。
【００３４】
〔糸巻片、糸押さえ〕
さらに、糸巻片７０Ａ（７０Ｂ）及び糸押さえ８０につき説明する。
図５、図６に示すように糸巻片７０Ａ（７０Ｂ）は、一対のアーチ部７１，７１を有する。アーチ部７１，７１は板状であり、面に垂直な方向に所定の間隔を隔てて配置され、アーチ部７１，７１の両端は、連結部７２，７３によって互いに連結されている。アーチ部７１，７１の凹側及び凸側の縁は、Ｘ軸に平行な縁が、段差を介して連続した波形状に形成されており、巻かれた糸（特に一層目）のずれを防止する。
連結部７２は回転支持軸１３に連結される部分であり、リブ７２ａと凹部７２ｂが形成されており、回転支持軸１３に嵌合可能であり、回転駆動軸１２に嵌合不能な形状である。
連結部７３は回転駆動軸１２に連結される部分であり、上記リブ７２ａに相当するリブを有さず、凸部７３ｂが形成されており、回転駆動軸１２に嵌合可能であり、回転支持軸１３に嵌合不能な形状である。
【００３５】
図７、図８に示すように糸巻片７０Ａと糸巻片７０Ｂは、互いのアーチ部７１の凹側を対向させて連結し、略楕円状のリングを構成する。
図５に示すように糸巻片７０Ａの連結部７２にメス部７４ａが形成され、糸巻片７０Ａの連結部７３にオス部７４ｂが形成されている。図６に示すように糸巻片７０Ｂの連結部７２にオス部７４ｃが形成され、糸巻片７０Ｂの連結部７３にメス部７４ｄが形成されている。メス部７４ａとオス部７４ｃとが嵌合するとともに、オス部７４ｂとメス部７４ｄとが嵌合することで、図７，図８に示すように糸巻片７０Ａと糸巻片７０Ｂとが連結する。
【００３６】
図７，図８に示すように、さらに糸押さえ８０の両端部８１，８１が糸巻片７０Ａと糸巻片７０Ｂとの連結面を跨って、糸巻片７０Ａと糸巻片７０Ｂとの離脱を防止するように嵌る。
糸押さえ８０の中央部８２がアーチ部７１に対して、連結した糸巻片７０Ａと糸巻片７０Ｂとで構成するリングの中心軸Ｂ方向に所定間隔を隔てて配置される。中央部８２の縁がアーチ部７１の凸側の縁と略同形状に形成されており、Ｘ軸方向のどの位置でも、中央部８２の縁とアーチ部７１の凸側の縁との間隔距離が略均等とされている。一対のアーチ部７１，７１に巻かれた糸を糸押さえ８０の中央部８２で押さえるためである。
図８に示すように、括り糸の通し部７５が連結部７２、連結部７３のそれぞれに形成されており、アーチ部７１，７１の間のギャップ７６に連通して両側に設けられる。図７，図８に示す隔壁７７によって、一対のアーチ部７１，７１に巻かれた糸が括り糸の通し部７５に掛かりにくくなるように規制する。したがって、通し部７５に括り糸を通しやすい。
図１、図５、図６に示すように隔壁７７には、糸Ｓの仮止めに使用できる糸止め用切込み７８が形成されたものがある。糸Ｓの巻き始め端部や巻き終わり端部を糸止め用切込み７８に係止することができる。糸止め用切込み７８は左右両側に設けられる。糸Ｓの巻き始めと巻き終わりが左右逆端である場合に対応するためである（図９のカードの場合が相当）。
糸巻片７０Ａ、糸巻片７０Ｂ、糸押さえ８０の互いの連結はオスメス構造の弾性的な嵌め合いによって実現しており、連結した時の互いの結合力が適度に得られているとともに、繰り返しの組立て、分解が容易にされている。
【００３７】
〔作業手順〕
次に、改めて作業手順を説明する。
糸巻片７０Ａを図１に示すように回転駆動軸１２及び回転支持軸１３に装着し、２次元座標表示盤カード９０をテーブル部１８に設置し、指針１６を最左端に配置し、指針１６が１層目の開始マス９２ａにあるようにテーブル部１８を配置する（順不同）。糸巻片７０Ａと糸巻片７０Ｂのいずれを先に使ってもよい。
【００３８】
次に、第１の色の糸Ｓをテンション保持部材２１に蛇行するように通して、糸案内１５に通し、糸巻片７０Ａの方へ引き出して、糸止め用切込み７８に係止する。
次に、手回しクランク１１を順方向Ｃに回して糸巻片７０Ａへの糸Ｓの巻き付けを始める。この巻き付け開始前に、必要により変速操作スライド２０により巻のピッチを選択しておく。変速操作スライド２０は、使用する糸Ｓの太さに応じて切り替え操作するとよい。すなわち、糸Ｓが比較的細い場合に巻のピッチを上げ、糸Ｓが比較的太い場合に巻のピッチを下げるように変速操作スライド２０を操作し、ボンボン１００の糸密度を適度に確保する。
【００３９】
巻動作に連動して、指針１６が開始マス９２ａから右隣りのマスへと移動する。マスの境目では前述したインデックスが表示される。開始マス９２ａから３マス目と４マス目との境を指針１６が指したら、一旦手回しクランク１１を止め、糸Ｓを第２の色に切り替える。糸Ｓの色種の切替は、第１の色の糸Ｓの糸巻片７０Ａに巻かれる前の所定位置を切ってその端部を、第２の色の糸と結ぶことにより行うことができる。
【００４０】
次に、手回しクランク１１を回して巻動作を再開し、開始マス９２ａから６マス目と７マス目との境を指針１６が指したら、一旦手回しクランク１１を止め、糸Ｓを第１の色に切り替える。
以後、図９の２次元座標表示盤カード９０とこれに対する指針１６が指し示す位置とによる表示に従って、糸Ｓの色種を切り替える。途中、糸案内１５が最右端及び最左端で止まるから、逆転操作ダイヤル１７を一段階回して指針１６を次の層に進める。
指針１６が前半の最終マス９３ａまで来て糸案内１５が止まったら、糸巻片７０Ａへの巻きが完了であるので、糸Ｓを切って糸巻片７０Ａを取り外し安置する。
【００４１】
次に後半の巻作業として、糸巻片７０Ｂを回転駆動軸１２及び回転支持軸１３に装着し、指針１６が後半の１層目の開始マス９２ｂにあるようにテーブル部１８を配置する（順不同）。
前半の巻作業と同様に巻作業を進め、指針１６が後半の最終マス９３ｂまで来て糸案内１５が止まったら、糸巻片７０Ｂへの巻きが完了であるので、糸Ｓを切って糸巻片７０Ｂを取り外し、安置しておいた糸巻片７０Ａと連結し、さらに糸押さえ８０，８０を連結して糸を仮押さえする。
全巻糸の外周側を鋏み等で切断し、括り糸を通し部７５に通して、全巻糸の内周側を束ねて同括り糸で縛った後、糸押さえ８０，８０、糸巻片７０Ａ、糸巻片７０Ｂを互いに分離して、束ねた糸層を取り外し、その各糸端を球状に整えると、図１０に示すようなボンボン１００が完成する。図１０において、補助線１０１は、糸巻片７０Ａに巻かれた糸層と、糸巻片７０Ｂに巻かれた糸層との合わせ面を、１０２は括り糸を示す。括り糸１０２は、ボンボン１００の止め紐としてループ状に延出させておくとよい。
【００４２】
〔その他〕
以上の本実施形態のボンボン作成用糸巻装置１によれば、糸の巻位置に対応して糸の色種を切り替える指示を表示するから、図案に従って色種の切替位置を表示することがきるため、容易に所望の図案のボンボンを作成が可能である。
巻動作に連動した往復の糸案内動作により多層巻が可能であり、各層ごとに色指定が可能であるから、複雑な図案のボンボンの作成が可能である。
２次元座標表示盤カード９０と指針１６による表示であるので、図案に従った作業計画の全体と、その中における現在巻位置を一望して認識できる。
２次元座標表示盤カード９０が付け替え可能であるから、多様な図案をユーザーに提供することができるとともに、ユーザーの自由創作を促すことができる。
【符号の説明】
【００４３】
１     ボンボン作成用糸巻装置
１０   筐体
１０Ａ ベース部
１０Ａ１      右部分
１０Ａ２      左部分
１０Ａ３      中央部
１０Ｂ 空間
１０Ｌ 左隆起部
１０Ｒ 右隆起部
１１   手回しクランク
１２   回転駆動軸
１３   回転支持軸
１４   スライダー
１４ａ 弾性突起
１５   糸案内
１５ａ スリット
１５ｂ フック
１６   指針
１７   逆転操作ダイヤル
１８   テーブル部
１８ａ，１８ａラック
１８ｂ 係止爪
１９   方向表示部
２０   変速操作スライド
２１   テンション保持部材
２２   ワンウエイ解除レバー
３０   増速歯車伝動機構
３１   変速歯車伝動機構
３２   逆転歯車伝動機構
３３   螺旋条付軸
３３ａ 螺旋条
３４   ガイドレール
３５Ｌ 反転アシストバネ
３５Ｒ 反転アシストバネ
３６   表示盤送り機構の歯車伝動部
３７   リンク伝動機構
３８   インデックスリブ
４０   糸巻片回転機構
７０Ａ，７０Ｂ糸巻片
７１   アーチ部
７２，７３    連結部
８０   糸押さえ
９０   ２次元座標表示盤カード
１００ ボンボン
１０２ 括り糸
Ｓ     糸
【図１】
2019015004.tif 000003
【図２】
2019015004.tif 000004
【図３】
2019015004.tif 000005
【図４】
2019015004.tif 000006
【図５】
2019015004.tif 000007
【図６】
2019015004.tif 000008
【図７】
2019015004.tif 000009
【図８】
2019015004.tif 000010
【図９】
2019015004.tif 000011
【図１０】
2019015004.tif 000012